(57)【要約】【課題】表示自体の配色、或いは表示の周囲部分の配色を変えることにより、文字、図又は模様等の表示を強調し、アピール効果を最大限に引き出せるようにする。【解決手段】発光色が可変となるＬＥＤ光源１と、ＬＥＤ光源１の出力光の一部を透過する表示体２が付された表示シート３と、上記光源１の発光色を可変制御する光源制御部４を備え、ＬＥＤ光源１の発光色を可変制御することで、表示体２を表示したり、消去したり、或いは移動しているように強調して表示することができる。【選択図】図１
2017049276.tif 000002
【特許請求の範囲】
【請求項１】
発光色が可変となる光源と、
この光源の出力光の一部を透過する表示体が付された表示シートと、
上記光源の発光色の変化に応じて上記光源の出力光の一部を透過した表示体の色が上記発光色或いは上記表示体の色と異なる色を含む色に変化するように上記光源の発光色を可変制御する光源制御部と、を備えてなる表示器具。
【請求項２】
上記表示シートは、それぞれ異なる色の複数の上記表示体が付されており、上記光源制御部は、上記光源の出力光の一部を透過した表示体の色がそれぞれ異なる色に変化するように上記光源の発光色を可変制御することを特徴とする請求項１記載の表示器具。
【請求項３】
上記表示シートは、それぞれ異なる色の複数の上記表示体が付されており、上記光源制御部は、上記複数の表示体のうち一部の表示体について、上記光源の出力光の一部を透過した表示体とその周辺の上記表示シートの一部が同じ色に変化するように上記光源の発光色を可変制御することを特徴とする請求項１記載の表示器具。
【請求項４】
発光色が可変となる光源と、この光源の出力光の一部を透過する表示体が付された表示シートと、上記光源の発光色を可変制御する光源制御部と、を備えた表示器具を用いた表示方法であって、
上記光源制御部を制御することにより上記光源の発光色を変化させ、上記光源の出力光の一部が透過した表示体の色を、上記発光色或いは上記表示体の色と異なる色を含む色に変化させることを特徴とする表示器具を用いた表示方法。
【請求項５】
上記表示シートは、それぞれ異なる色の複数の上記表示体が付されており、上記光源制御部を制御することにより上記光源の発光色を変化させ、上記光源の出力光の一部が透過した複数の上記表示体の色を、上記発光色或いは上記表示体の色と異なる色を含む色であり、かつ相互に異なる色に変化させることを特徴とする請求項４記載の表示器具を用いた表示方法。
【請求項６】
上記表示シートは、それぞれ異なる色の複数の上記表示体が付されており、上記光源制御部を制御することにより上記光源の発光色を変化させ、少なくとも上記表示体のうち一部の表示体について、上記光源の出力光の一部が透過した表示体の色とその周辺の上記表示体シートの一部の色を、同じ色に変化させることを特徴とする請求項４記載の表示器具を用いた表示方法。
【発明の詳細な説明】
【技術分野】
【０００１】
本発明は表示器具、特にＬＥＤ光源を用いて文字、図、模様等の表示を強調する表示器具及びこれを用いた表示方法に関する。
【背景技術】
【０００２】
従来から、広告宣伝用又は告知用の掲示板、看板、サインボードとして、ＬＥＤ光源等を利用した表示器具が用いられており、この表示器具は、例えば図５のような構成とされる。
図５において、１１は電球や白色光ＬＥＤ等の光源、１２は表示対象である文字Ｒ、１３は透明或いは光透過性のある白色の表示板（例えばプラスチック製）であり、この表示板１３には、広告宣伝用の文字Ｒや図等が赤色、黒色等で書かれている。
【０００３】
このような表示器具によれば、例えば光源１１から出力された白色光を透明或いは光透過性白色の表示板１３に照射することにより、広告宣伝用の文字Ｒ（１２）を際立たせた表示とすることが行われる。
【先行技術文献】
【特許文献】
【０００４】
【特許文献１】特開２００３−１５５６２号公報
【発明の概要】
【発明が解決しようとする課題】
【０００５】
しかしながら、従来の図５の表示器具は、文字Ｒ（１２）の周りの表示板１３を白色光等で強調することにより文字Ｒを際立たせるものであり、文字Ｒを強調させる効果が薄いという問題がある。
【０００６】
また、上記特許文献１の文字表示器では、導光部材の後面に、文字、図形を陰刻して形成した光反射部を設け、発光ダイオードからの例えば赤い光を上記導光部材の内部に向けて照射することにより、上記光反射部の乱反射により文字や図形を表示する構成としているが、このような文字表示器の構成でも、文字、図形等の人目を引き付けるような表示、強調が十分ではない。
【０００７】
本発明は上記問題点に鑑みてなされたものであり、その目的は、表示自体の配色、或いは表示の周囲部分の配色を変えることにより、文字、図又は模様等の表示を強調し、アピール効果を最大限に引き出すことができる表示器具及びこれを用いた表示方法を提供することにある。
【課題を解決するための手段】
【０００８】
上記目的を達成するために、本願発明に係る表示器具は、発光色が可変となる光源と、この光源の出力光の一部を透過する表示体が付された表示シートと、上記光源の発光色の変化に応じて上記光源の出力光の一部を透過した表示体の色が上記発光色或いは上記表示体の色と異なる色を含む色に変化するように上記光源の発光色を可変制御する光源制御部と、を備えてなることを特徴とする。
また、上記表示シートは、それぞれ異なる色の複数の上記表示体が付されており、上記光源制御部は、上記光源の出力光の一部を透過した表示体の色がそれぞれ異なる色に変化するように上記光源の発光色を可変制御することを特徴とする。
更にまた上記表示シートは、それぞれ異なる色の複数の上記表示体が付されており、上記光源制御部は、上記複数の表示体のうち一部の表示体について、上記光源の出力光の一部を透過した表示体とその周辺の上記表示シートの一部が同じ色に変化するように上記光源の発光色を可変制御することを特徴とする。
【０００９】
本願発明に係る表示方法は、発光色が可変となる光源と、この光源の出力光の一部を透過する表示体が付された表示シートと、上記光源の発光色を可変制御する光源制御部と、を備えた表示器具を用いた表示方法であって、上記光源制御部を制御することにより上記光源の発光色を変化させ、上記光源の出力光の一部が透過した表示体の色を、上記発光色或いは上記表示体の色と異なる色を含む色に変化させることを特徴とする。
また、上記表示シートは、それぞれ異なる色の複数の上記表示体が付されており、上記光源制御部を制御することにより上記光源の発光色を変化させ、上記光源の出力光の一部が透過した複数の上記表示体の色を、上記発光色或いは上記表示体の色と異なる色を含む色であり、かつ相互に異なる色に変化させることを特徴とする。
更にまた上記表示シートは、それぞれ異なる色の複数の上記表示体が付されており、上記光源制御部を制御することにより上記光源の発光色を変化させ、少なくとも上記表示体のうち一部の表示体について、上記光源の出力光の一部が透過した表示体の色とその周辺の上記表示体シートの一部の色を、同じ色に変化させることを特徴とする。
【００１０】
上記の構成によれば、例えばＲ（赤），Ｇ（緑），Ｂ（青）の３原色光の各々を出力するＬＥＤ素子を複数持つＬＥＤ光源を用いると共に、表示シートには、文字、図或いは模様等の表示体（表示対象）が光透過可能に描かれており、この表示シートに、ＬＥＤ光源から出力される各種のカラー光を照射することにより、文字、図或いは模様等の表示が際立つように強調される。また、この強調は、表示対象の一部のみを選択して行うこともできる。
【００１１】
また、表示シートを光透過性部材のシートとし、表示体の色等を考慮してこの表示体が強調できる周囲部分の色を選択し、この色の光をＬＥＤ光源から表示シートの周囲部分に照射してもよく、この周囲部分の色付けによって表示体の文字、図或いは模様等を強調することもできる。また、周囲部分を表示対象と同じ色にすると、表示体の文字、図或いは模様等を消去することもできる。この強調の消去は、表示対象の一部のみを選択して行うことができる。
【発明の効果】
【００１２】
本発明の表示器具によれば、表示自体の配色、或いは表示の周囲部分の配色を変えることにより、文字、図又は模様等の表示を強調し、アピール効果を最大限に引き出すことができ、従来に比べて、人目を強く引き付ける表示が可能になるという効果がある。
また、表示の一部を消去することも可能になるので、文字、図或いは模様等が移動しているように感じられ、アピール効果は大きい。本発明の表示器具は、表示シートを変更するだけで様々な表示パターンに変更可能であり、安価な表示器具を提供できるという利点がある。また、本発明の表示方法は、光源制御部の制御のみで様々な表示パターンを実現でき、一般的な表示器具を用いて実現できるという利点もある。
【図面の簡単な説明】
【００１３】
【図１】本発明の第１実施例に係る表示器具の構成を示し、図（Ａ）は正面図、図（Ｂ）は上側から見た図である。
【図２】第２実施例の表示器具の構成を示す図である。
【図３】第３実施例の表示器具の構成［図（Ａ）］及び表示シートでの表示状態［図（Ｂ）］を示す図である。
【図４】第４実施例の表示器具の構成［図（Ａ）］及び表示シートでの表示状態［図（Ｂ）］を示す図である。
【図５】従来の表示器具の一例の構成を示す図である。
【発明を実施するための形態】
【００１４】
図１（Ａ），（Ｂ）に、第１実施例の表示器具が示されており、１はＬＥＤ光源、２は文字、図形等の表示体、３は表示シート、４は光源制御部であり、上記ＬＥＤ光源１には、例えばＲ（赤），Ｇ（緑），Ｂ（青）の３原色光のそれぞれのＬＥＤ（素子）が複数配置されており、これらＲ，Ｇ，ＢのＬＥＤのそれぞれを独立に光源制御部４で点灯制御することにより、ＬＥＤ光源１の出力色（ＲＧＢの組合せ）と光量を調整（調色、調光）することができる。上記表示シート３は、光透過性のある紙、ポリエステルやポリプロピレンからなるシート、或いはプラスチック板等からなり、この表示シート３に、文字、図又は模様の少なくとも１つから構成される表示体２が塗布等にて印字又は描画されている。実施例では、文字等の表示体２だけでなく、表示シート３自体も光透過可能となっており、この表示シート３は、透明や白色に限らず、その他の色を付けてもよい。
【００１５】
上記の第１実施例の構成によれば、３原色であるＲ，Ｇ，ＢのＬＥＤにおいて各ＬＥＤの選択・組合せとその光量を光源制御部４により調整することで、ＬＥＤ光源１から所定のカラー光が表示体２を有する表示シート３へ照射される。例えば、上記表示体２としての文字ＲをＲ（赤）色で印字しておき、ＬＥＤ光源１からＧ（緑）光を当てた場合は、色の加法混合から黄色の文字Ｒが現出する。また、文字Ｒに対しＢ（青）光を当てれば桃色の文字Ｒが現出し、更にＧ光とＢ光の混合を当てれば白色となる。
【００１６】
このようにして、第１実施例では、文字Ｒ等を所定の色で光透過可能に付した表示体２を設け、この表示体２に、光源制御部４で制御されたＬＥＤ光源１から所定のカラー光を照射することで、自由に文字Ｒ（表示体２）の色を変え、文字Ｒを強調した表示を行うことができる。一方、上記表示体２にＬＥＤ光源１からＲ（赤）光を当てた場合、表示体２が付されていない部分の表示シート３が赤色となり、文字Ｒが消去されたように感じられる。
【００１７】
図２に、第２実施例の表示器具の構成が示されており、この第２実施例は、もみじの葉の色を変化させるものである。図２に示されるように、この場合も、光透過性のある表示シート５に、光透過可能な状態でもみじの葉の絵（表示体２）を描いてあり、第１実施例と同様に、ＬＥＤ光源１と光源制御部４を設けている。そして、例えば表示体２であるもみじの葉をＧ色として、ＬＥＤ光源１から白色光を照射すれば、春の葉の緑色となるし、Ｒ光を照射すれば、秋のもみじの色である黄色の葉となり、ＬＥＤ光源１から強度を調整（調光）したＲ光＋Ｂ光を照射すれば、茶色の葉の色に変化させることが可能となる。
【００１８】
図３に、第３実施例の表示器具の構成が示されており、この第３実施例は、もみじの葉の色を変化させ、かつ動くようにしたものである。図３に示されるように、例えば光透過性のある白色の表示シート６に、光透過可能なもみじの葉の絵（表示体２）がＧ色で３枚描いてあり、この３枚のもみじの葉のそれぞれに対し独立してカラー光を照射するＬＥＤ光源１が３つ配置され、これらＬＥＤ光源１は光源制御部４にて制御される。この３つのＬＥＤ光源１は、３箇所のそれぞれにカラー光を出力できる１つの光源で構成してもよい。
【００１９】
このような第３実施例の構成によれば、３つのＬＥＤ光源１を図の左側から順に点灯させ、もみじの葉（２）に、白色光（左）→Ｒ光（中央）→光量調整したＲ光＋Ｂ光（右）を順に照射すれば、緑→黄色→茶色に変化（紅葉）しながらもみじの葉が落ちていくように動く。同時に、強調したい部分のもみじの葉以外の部分にＧ色の光を照射すると、その部分の絵は消去されたように感じられ、もみじの葉が落ちていく様子を強調できる。
【００２０】
図４に、第４実施例の表示器具の構成が示されている。図４（Ａ）に示されるように、例えば光透過性のある白色の表示シート７に、光透過可能な「日本」の２文字からなる表示体２で、このうちの「日」の文字をＧ色、「本」の文字をＢ色で印字する。そして、他の実施例と同様に、ＬＥＤ光源１と光源制御部４が設けられる。
【００２１】
このような第４実施例の構成によれば、ＬＥＤ光源１から表示シート７へＢ光を照射することで、「本」の文字は表示シート７のＢ色に埋もれて消え、水色の「日」が表示され、一方、Ｇ光を照射することで、「日」の文字が表示シート７のＧ色に埋もれて消え、水色の「本」が表示され、その他の色光を照射することで、「日本」を現出させることができ、このような文字の変化で、文字等の表示体２を際立たせて表示することができる。
【００２２】
この第４実施例では、表示体周囲（背景）の色を変えることを利用して、表示体２の消去・現出ができるようにしたが、これに限らず、表示体２の色等の特徴を考慮して周囲の配色を変えることにより文字、図又は模様等を強調するようにしてもよい。
【符号の説明】
【００２３】
１…ＬＥＤ光源、
２…表示体、
３，５，６，７…表示シート、
４…光源制御部。
【図１】
2017049276.tif 000003
【図２】
2017049276.tif 000004
【図３】
2017049276.tif 000005
【図４】
2017049276.tif 000006
【図５】
2017049276.tif 000007